(57)【特許請求の範囲】
【請求項１】
系統に連系され、蓄電池を制御する電力供給機器と、
負荷に電力を供給する分電盤と、
該分電盤と通信可能で、前記電力供給機器の起動制御を行なう起動制御装置とを備える電力供給システムであって、
前記起動制御装置は、前記電力供給機器が運転中に停止した際に、前記蓄電池の蓄電量が該電力供給機器の動作に必要な電力に不足する場合、前記分電盤に接続されている前記負荷の少なくとも一部を解列させる指示を、前記分電盤に送信することを特徴とする電力供給システム。
【請求項２】
請求項１に記載の電力供給システムにおいて、
前記起動制御装置は、前記系統の通常動作時に、前記負荷の消費電力の情報を前記分電盤から取得し、
前記起動制御装置は、前記系統に停電が発生した際に、前記消費電力の情報に基づいて、前記負荷のうちのどの負荷を前記分電盤から解列させるかを決定することを特徴とする電力供給システム。
【請求項３】
請求項１又は２に記載の電力供給システムにおいて、
前記電力供給機器が制御を行なう発電装置を、さらに含み、
前記起動制御装置は、前記負荷の一部を解列させたことにより前記電力供給機器の動作が可能となり、前記発電装置が運転を再開すると、前記発電装置の発電電力により前記蓄電池を充電する第１の制御、又は、前記分電盤から解列させた前記負荷の一部を前記分電盤に再接続させる第２の制御のうち、少なくとも一つの制御を実行することを特徴とする電力供給システム。
【請求項４】
請求項１から３のいずれか一項に記載の電力供給システムにおいて、前記起動制御装置が備える制御部の消費電力は、前記電力供給機器が備える制御部の消費電力よりも小さいことを特徴とする電力供給システム。
【請求項５】
請求項３に記載の電力供給システムにおいて、前記発電装置は燃料電池であることを特徴とする電力供給システム。
【請求項６】
系統に連系され、蓄電池及び発電装置を制御する電力供給機器と、負荷に電力を供給する分電盤とを備える電力供給システムにおいて、
前記分電盤と通信を行う通信部と、
前記電力供給機器の起動制御を行なう制御部とを備え、
前記制御部は、前記電力供給機器が運転中に停止した際に、前記蓄電池の蓄電量が該電力供給機器の動作に必要な電力に不足する場合、前記分電盤に接続されている前記負荷の少なくとも一部を解列させる指示を前記分電盤に対し前記通信部に送信させることを特徴とする起動制御装置。
【請求項７】
系統に連系され、蓄電池及び発電装置を制御する電力供給機器と、負荷に電力を供給する分電盤と、該分電盤と通信可能で、前記電力供給機器の起動制御を行なう起動制御装置とを備える電力供給システムの制御方法であって、
前記起動制御装置が、前記電力供給機器が運転中に停止した際に、前記蓄電池の蓄電量が該電力供給機器の動作に必要な電力に不足する場合、前記分電盤に接続されている前記負荷の少なくとも一部を解列させる指示を、前記分電盤に送信する送信ステップを含む制御方法。
【発明の詳細な説明】
【技術分野】
【０００１】
本発明は、電力供給システム、起動制御装置及び電力供給システムの制御方法に関するものである。
【背景技術】
【０００２】
近年、石油に依存しないエネルギー安全保障（セキュリティ）の向上、及び排出ガスに窒素酸化物を含まないクリーンエネルギー化等の観点から、ガスの電気化学反応により電気を発生させる燃料電池による発電システムへの期待が高まっている。そして、燃料電池を利用した数々の燃料電池給電システムが提案されている。例えば、特許文献１には、停電時に燃料電池の自立運転を支援する自立運転支援装置が開示されている。
【先行技術文献】
【特許文献】
【０００３】
【特許文献１】特開２０１３−５１８７９号公報
【発明の概要】
【発明が解決しようとする課題】
【０００４】
ところで、燃料電池に合わせて蓄電池も一元的に管理・運用されている電力システムにおいては、系統の停電により燃料電池の動作が停止しても、蓄電池の充電率（ＳＯＣ：State of Charge）に余裕があれば、蓄電池を放電させて燃料電池に電力を供給することにより、燃料電池を起動させることが可能である。
【０００５】
しかしながら、停電時において、自立運転の発電電力により電力を供給する対象である負荷の消費電力が大きい場合などは、蓄電池の充電率によっては、蓄電池が、パワーコンディショナ及び燃料電池を起動するだけの電力を供給できないおそれがあった。
【０００６】
かかる点に鑑みてなされた本発明の目的は、停電時において、蓄電池の充電率に余裕がない場合であっても、燃料電池を起動させることができる電力供給システム、起動制御装置及び電力供給システムの制御方法を提供することにある。
【課題を解決するための手段】
【０００７】
上記課題を解決するため、本発明に係る電力供給システムは、系統に連系され、蓄電池を制御する電力供給機器と、負荷に電力を供給する分電盤と、該分電盤と通信可能で、前記電力供給機器の起動制御を行なう起動制御装置とを備える電力供給システムであって、前記起動制御装置は、前記電力供給機器が運転中に停止した際に、前記蓄電池の蓄電量が該電力供給機器の動作に必要な電力に不足する場合、前記分電盤に接続されている前記負荷の少なくとも一部を解列させる指示を、前記分電盤に送信するものである。
【０００８】
また、本発明に係る電力供給システムにおいて、前記起動制御装置は、前記系統の通常動作時に、前記負荷の消費電力の情報を前記分電盤から取得し、前記起動制御装置は、前記系統に停電が発生した際に、前記消費電力の情報に基づいて、前記負荷のうちのどの負荷を前記分電盤から解列させるかを決定することが好ましい。
【０００９】
また、本発明に係る電力供給システムにおいて、前記電力供給機器が制御を行なう発電装置を、さらに含み、前記起動制御装置は、前記負荷の一部を解列させたことにより前記電力供給機器の動作が可能となり、前記発電装置が運転を再開すると、前記発電装置の発電電力により前記蓄電池を充電する第１の制御、又は、前記分電盤から解列させた前記負荷の一部を前記分電盤に再接続させる第２の制御のうち、少なくとも一つの制御を実行することが好ましい。
【００１１】
また、本発明に係る電力供給システムにおいて、前記起動制御装置が備える制御部の消費電力は、前記電力供給機器が備える制御部の消費電力よりも小さいことが好ましい。
【００１２】
また、本発明に係る電力供給システムにおいて、前記発電装置は燃料電池であることが好ましい。
【００１３】
また、上記課題を解決するため、本発明に係る起動制御装置は、系統に連系され、蓄電池及び発電装置を制御する電力供給機器と、負荷に電力を供給する分電盤とを備える電力供給システムにおいて、前記分電盤と通信を行う通信部と、前記電力供給機器の起動制御を行なう制御部とを備え、前記制御部は、前記電力供給機器が運転中に停止した際に、前記蓄電池の蓄電量が該電力供給機器の動作に必要な電力に不足する場合、前記分電盤に接続されている前記負荷の少なくとも一部を解列させる指示を前記分電盤に対し前記通信部に送信させるものである。
【００１４】
また、上記課題を解決するため、本発明に係る電力供給システムの制御方法は、系統に連系され、蓄電池及び発電装置を制御する電力供給機器と、負荷に電力を供給する分電盤と、該分電盤と通信可能で、前記電力供給機器の起動制御を行なう起動制御装置とを備える電力供給システムの制御方法であって、前記起動制御装置が、前記電力供給機器が運転中に停止した際に、前記蓄電池の蓄電量が該電力供給機器の動作に必要な電力に不足する場合、前記分電盤に接続されている前記負荷の少なくとも一部を解列させる指示を、前記分電盤に送信する送信ステップを含むものである。
【発明の効果】
【００１５】
本発明に係る電力供給システム、起動制御装置及び電力供給システムの制御方法によれば、停電時において、蓄電池の充電率に余裕がない場合であっても、燃料電池を起動させることができる。
【図面の簡単な説明】
【００１６】
【図１】本発明の一実施形態に係る電力供給システムのブロック図である。
【図２】電力供給システムから負荷を解列させる様子を示す図である。
【図３】電力供給システムにおいて発電装置の運転が再開する様子を示す図である。
【図４】運転を再開した発電装置により蓄電池を充電する様子を示す図である。
【図５】本発明の一実施形態に係る電力供給システムの動作の一例を示すフローチャートである。
【発明を実施するための形態】
【００１７】
以下、本発明に係る実施形態について、図面を参照して説明する。
【００１８】
図１は、本発明の一実施形態に係る電力供給システムの概略構成を示すブロック図である。本実施形態に係る電力供給システムは、太陽電池１１と、蓄電池１２と、パワーコンディショナ（電力供給機器）２０と、分電盤３１と、負荷３２と、発電装置３３と、電流センサ４０と、起動制御装置５０とを備える。電力供給システムは、通常は系統との連系運転を行い、系統から供給される電力と、各分散電源（太陽電池１１、蓄電池１２、発電装置３３）からの電力とを負荷３２に供給する。また、電力供給システムは、停電時など系統からの電力供給がない場合は自立運転を行い、各分散電源（太陽電池１１、蓄電池１２、発電装置３３）からの電力を負荷３２に供給する。また、蓄電池１２の充電率が所定の閾値以下である場合は、太陽電池１１及び／又は発電装置３３の発電電力により蓄電池１２を充電する。なお、電力供給システムが自立運転を行う場合には、各分散電源（太陽電池１１、蓄電池１２、発電装置３３）は系統から解列した状態であり、電力供給システムが連系運転を行う場合には、各分散電源（太陽電池１１、蓄電池１２、発電装置３３）は系統と並列した状態となる。図１において、実線は電力の流れを表し、破線は制御信号又は通信される情報の流れを表す。なお、制御部２５と、その他の構成要素とを接続する破線は、図面の可読性の観点から省略している（例えば、制御部２５と連系リレー２２とを接続する破線は省略している）。
【００１９】
太陽電池１１は、太陽光のエネルギーを直流の電力に変換するものである。太陽電池１１は、例えば光電変換セルを有する発電部がマトリクス状に接続され、所定の直流電流（たとえば１０Ａ）を出力するように構成される。太陽電池１１は、シリコン系多結晶太陽電池、シリコン系単結晶太陽電池、又はＣＩＧＳ等薄膜系太陽電池等、光電変換可能なものであればその種類は制限されない。
【００２０】
蓄電池１２は、リチウムイオン電池やニッケル水素電池等の蓄電池から構成される。蓄電池１２は、充電された電力を放電することにより、電力を供給可能である。また、蓄電池１２は、系統、太陽電池１１から供給される電力に加え、後述の通り、発電装置３３から供給される電力を充電可能である。
【００２１】
パワーコンディショナ（電力供給機器）２０は、系統に連系され、太陽電池１１、蓄電池１２及び発電装置３３を制御する。パワーコンディショナ２０は、太陽電池１１、蓄電池１２から供給される直流の電力と、系統及び発電装置３３から供給される交流の電力との変換を行うとともに、連系運転及び自立運転の切り替え制御を行うものである。パワーコンディショナ２０は、第１インバータ２１と、連系リレー２２と、バイパスリレー２３と、自立リレー２４と、制御部２５と、第２インバータ２６と、ＤＣ／ＤＣコンバータ２７〜２８とを備える。なお、バイパスリレー２３は、パワーコンディショナ２０の外に出すよう構成してもよい。
【００２２】
第１インバータ２１は、双方向インバータであって、太陽電池１１、蓄電池１２及び発電装置３３から、それぞれ、ＤＣ／ＤＣコンバータ２７、ＤＣ／ＤＣコンバータ２８及び第２インバータ２６を介して供給される直流の電力を交流の電力に変換し、また、系統から供給される交流の電力を直流の電力に変換する。
【００２３】
連系リレー２２は、制御部２５からの制御信号に基づきオン／オフ状態の切り替えを行うように構成される。連系リレー２２は、第１インバータ２１と系統との間の接続のオン／オフを切り替える。連系リレー２２は、系統停電時においてはオフしてパワーコンディショナ２０を系統から解列させるように制御され、系統連系時にはオンするように制御される。
【００２４】
バイパスリレー２３は、制御部２５からの制御信号に基づきオン／オフ状態の切り替えを行うように構成される。バイパスリレー２３は、系統と分電盤３１との間の接続のオン／オフを切り替える。すなわち、バイパスリレー２３は、系統と発電装置３３との間の接続のオン／オフを切り替える。バイパスリレー２３は、系統停電時においてはオフするように制御され、系統連系時にはオンするように制御される。
【００２５】
自立リレー２４は、制御部２５からの制御信号に基づきオン／オフ状態の切り替えを行うように構成される。自立リレー２４は、第１インバータ２１と分電盤３１との間の接続のオン／オフを切り替える。すなわち、自立リレー２４は、第１インバータ２１と発電装置３３との間の接続のオン／オフを切り替える。自立リレー２４は、系統停電時においてはオンするように制御され、系統連系時にはオフするように制御される。
【００２６】
制御部２５は、例えばマイクロコンピュータで構成され、系統の状態等に基づいて、第１インバータ２１、連系リレー２２、バイパスリレー２３、自立リレー２４、第２インバータ２６、ＤＣ／ＤＣコンバータ２７〜２８等の各部の動作を制御する。制御部２５による制御の詳細については後述する。
【００２７】
第２インバータ２６は、双方向インバータである。第２インバータ２６は、発電装置３３の発電による交流電力を直流電力に変換し、第１インバータ２１に直流電力を供給する。また、第２インバータ２６は、発電装置３３の発電による交流電力を直流電力に変換し、ＤＣ／ＤＣコンバータ２８を介して、蓄電池１２に直流電力を供給する。また、第２インバータ２６は、蓄電池１２からＤＣ／ＤＣコンバータ２８を介して供給される直流の電力を交流の電力に変換し、分電盤３１に供給する。
【００２８】
なお、第２インバータ２６は、パワーコンディショナ２０の外部に備えることも可能である。この場合、第２インバータ２６は、外部の第２インバータから直流電力の入力を受ける入力端子を備える構成となる。
【００２９】
ＤＣ／ＤＣコンバータ２７〜２８は、入力された直流電圧を所定の直流電圧にＤＣ／ＤＣ変換する。
【００３０】
ＤＣ／ＤＣコンバータ２７は、太陽電池１１からの直流電圧を一定の電圧まで昇圧又は降圧して第１インバータ２１に供給する。
【００３１】
ＤＣ／ＤＣコンバータ２８は、蓄電池１２からの直流電圧を一定の電圧まで昇圧又は降圧して第１インバータ２１に供給する。また、ＤＣ／ＤＣコンバータ２８は双方向のＤＣ／ＤＣコンバータであり、第１インバータ２１、ＤＣ／ＤＣコンバータ２７又は第２インバータ２６からの直流電圧を、一定の電圧まで昇圧又は降圧して蓄電池１２に供給する。
【００３２】
分電盤３１は、連系運転時に系統から供給される電力を複数の支幹に分岐させて負荷３２に分配し、負荷３２に電力を供給する。また、分電盤３１は、分散電源（太陽電池１１、蓄電池１２、発電装置３３）から供給される電力を、複数の支幹に分岐させて負荷３２に分配し、負荷３２に電力を供給する。
【００３３】
分電盤３１は、支幹ごとに負荷３２との間の接続を解列させることができるリレーを有し、起動制御装置５０から送信される指示に応じて、指定された負荷３２を解列させる。
【００３４】
分電盤３１は、支幹ごとに負荷３２の消費電力を所定のタイミングで検出する。所定のタイミングは、定期的なタイミングであってもよいし、不定期のタイミングであってもよい。分電盤３１が検出した支幹ごとの負荷３２の消費電力の情報は、起動制御装置５０によって取得される。
【００３５】
負荷３２は、家庭で使用される単相交流１００Ｖ又は２００Ｖで動作する負荷である。分電盤３１から解列された負荷３２には電力が供給されなくなり、動作を停止する。負荷３２の例としては、冷蔵庫、非常用電灯、給湯システム又は家庭用ネットワークサーバなどの停電を極力回避すべき電気製品の他、ドライヤー、家庭用ゲーム機又は音楽鑑賞用オーディオシステムなどの家庭用一般負荷などが挙げられる。なお、負荷３２の台数は任意である。
【００３６】
発電装置３３は、例えば、燃料電池により構成される。燃料電池は、水素を用いて空気中の酸素との化学反応により直流の電力を発電するセルと、発電された直流電力を１００Ｖあるいは２００Ｖの交流電力に変換するインバータと、その他補機類とを備える。ここで、発電装置３３としての燃料電池は、パワーコンディショナ２０を介さずとも負荷３２に対する交流電力の供給を可能とするシステムであり、必ずしもパワーコンディショナ２０との接続を想定して設計されたものではなく、汎用性を有するシステムであってよい。
【００３７】
発電装置３３は、対応する電流センサ４０が順潮流（買電方向の電流）を検出する間発電を行うものであり、発電時には負荷３２の消費電力に追従する負荷追従運転又は所定の定格電力値による定格運転を行う。負荷追従運転時の追従範囲は、例えば２００〜７００Ｗであり、定格運転時の定格電力値は、例えば７００Ｗである。なお、発電装置３３は、連系運転時は負荷３２の消費電力に追従する負荷追従運転（例えば２００〜７００Ｗ）を行い、自立運転時に、負荷追従運転又は定格電力値による定格運転を行うものとしてもよい。
【００３８】
電流センサ４０は、分電盤３１に流れ込む電流を検出する。電流センサ４０は、例えばＣＴ（Current Transformer）として構成される。発電装置３３は、電流センサ４０によって順潮流を検出すると動作を開始する。また、発電装置３３は、電流センサ４０において、順潮流を検出できない場合は動作を停止する。
【００３９】
起動制御装置５０は、蓄電池１２から充電状態の情報、パワーコンディショナ２０からパワーコンディショナ２０の起動に必要な電力の情報を取得し、蓄電池１２、パワーコンディショナ２０及び分電盤３１を制御する。起動制御装置５０は、自立運転時に、蓄電池１２からの直流電圧を一定の電圧まで昇圧又は降圧して分電盤３１に供給する。起動制御装置５０は、分電盤３１と通信可能である。起動制御装置５０と分電盤３１との間の通信は、有線通信としてもよいし、無線通信としてもよい。起動制御装置５０は、ＤＣ／ＤＣコンバータ５１と、制御部５２とを備える。
【００４０】
ＤＣ／ＤＣコンバータ５１は、系統停電時に、蓄電池１２からの直流電圧を一定の電圧まで昇圧又は降圧して分電盤３１に供給する。なお、本実施形態においては、起動制御装置５０がＤＣ／ＤＣコンバータ５１を備える構成を示しているが、起動制御装置５０は、ＤＣ／ＤＣコンバータ５１の代わりに、ＤＣ／ＡＣコンバータを備える構成であってもよい。この場合、起動制御装置５０は、分電盤３１に交流電力を供給する。ＤＣ／ＤＣコンバータとＤＣ／ＡＣコンバータのどちらを採用するかは、分電盤３１の仕様に応じて決定すればよい。
【００４１】
制御部５２は、例えばマイクロコンピュータで構成される。制御部５２は、パワーコンディショナ２０の制御部２５よりも消費電力が小さい構成であることが好ましい。
【００４２】
制御部５２は、系統が停電していない通常運転時において、支幹ごとの負荷３２の消費電力の情報を分電盤３１から取得する。
【００４３】
制御部５２は、系統停電時において、蓄電池１２の充電率（蓄電量）が、パワーコンディショナ２０を動作させて発電装置３３に電力を供給するために必要な値以下である場合、負荷３２のうち、どの負荷３２への電力供給を停止すれば、蓄電池１２によってパワーコンディショナ２０を動作させることが可能であるかを判定する。この際、制御部５２は、通常運転時に取得していた分電盤３１の支幹ごとの負荷３２の消費電力の情報を利用する。
【００４４】
制御部５２は、どの負荷３２を分電盤３１から解列させればよいかを決定すると、分電盤３１に解列すべき支幹の情報を送信し、解列させると決定した負荷３２を分電盤３１から解列させる。
【００４５】
制御部５２は、例えば、あと１００Ｗ負荷に供給する電力が減ればパワーコンディショナ２０を起動させることができると判定すると、少なくとも消費電力を１００Ｗ減らすことのできる負荷３２を解列させる負荷として決定し、分電盤３１に当該負荷を解列させる指示を送信する。
【００４６】
続いて、図２〜図４を参照して、系統停電時において、起動制御装置５０による制御により、発電装置３３の運転を再開させる動作について説明する。例えば、夜間に系統が停電した場合などは、太陽電池１１から発電装置３３に電力を供給することができない。また、蓄電池１２の充電率も不足していてパワーコンディショナ２０が起動できないと、蓄電池１２から発電装置３３に電力を供給することもできない。図２〜図４に示す動作は、このような場合でも発電装置３３を起動させることを可能とする制御を説明するものである。
【００４７】
図２は、起動制御装置５０の制御により、分電盤３１が一部の負荷３２を解列させ、一部の負荷３２への電力供給を停止した様子を示す。
【００４８】
図２に示すように、系統停電時において、蓄電池１２の充電率が十分でなく、現在接続されている全ての負荷３２に電力を供給する構成では、パワーコンディショナ２０を起動させることができないと判定した場合、制御部５２は、通常運転時に取得していた分電盤３１の支幹ごとの負荷３２の消費電力の情報に基づいて、どの負荷３２を解列させれば、パワーコンディショナ２０を起動させることができるかを判定し、選択した負荷３２を解列させるための指示を分電盤３１に送信する。
【００４９】
図３は、負荷３２の一部を解列させたことにより、蓄電池１２によってパワーコンディショナ２０を動作させることが可能になったため、起動制御装置５０が蓄電池１２の放電を開始し、パワーコンディショナ２０が起動した状態を示す。図３に示す太線矢印は、電力供給を示す。
【００５０】
図３に示すように、パワーコンディショナ２０が起動すると、蓄電池１２の放電電力がパワーコンディショナ２０によって分電盤３１に供給される。この際、電流センサ４０は、順潮流を検出するため、発電装置３３は運転を再開する。
【００５１】
図４は、発電装置３３が運転を再開し、自立運転が可能となった状態を示す。発電装置３３が運転を再開すると、発電装置３３の発電電力は、第２インバータ２６及び第１インバータ２１を経由して分電盤３１から発電装置３３に供給される。このように、発電装置３３は、一旦運転を再開すると、自身の発電電力によって、電流センサ４０に順潮流を流し、自立運転をすることができる。また、発電装置３３の発電電力により負荷３２に電力を供給してもまだ余裕がある場合、図４に示すように、発電装置３３の発電電力により蓄電池１２を充電することができる。また、発電装置３３の発電電力に余裕があれば、起動制御装置５０は、解列させていた負荷３２を、分電盤３１に再接続させてもよい。
【００５２】
続いて、図５に示すフローチャートを参照しながら、本発明の一実施形態に係る電力供給システムの動作について説明する。なお、図５に示すフローチャートは、系統が停電した状態から開始するものとする。
【００５３】
パワーコンディショナ２０の制御部２５は、系統が停電すると、第１インバータ２１を停止する（ステップＳ１０１）。第１インバータ２１が停止すると、電流センサ４０が順潮流を検出しなくなるため、発電装置３３は運転を停止する（ステップＳ１０２）。
【００５４】
起動制御装置５０の制御部５２は、蓄電池１２の充電率が、第１インバータ２１の起動に必要な電力より大きいか否かを判定する（ステップＳ１０３）。
【００５５】
ステップＳ１０３にて、蓄電池１２の充電率が、第１インバータ２１の起動に必要な電力より大きいと判定した場合（ステップＳ１０３のＹｅｓ）、制御部５２は、蓄電池１２にパワーコンディショナ２０への電力供給を継続させる（ステップＳ１０４）。
【００５６】
ステップＳ１０３にて、蓄電池１２の充電率が、第１インバータ２１の起動に必要な電力以下であると判定した場合（ステップＳ１０３のＮｏ）、制御部５２は、蓄電池１２からパワーコンディショナ２０への直流電力の供給を停止させる（ステップＳ１０５）。
【００５７】
制御部５２は、第１インバータ２１を起動するために不足している電力量を算出する（ステップＳ１０６）。制御部５２は、不足している電力を解消するために、どの負荷３２を解列させればよいかを判定し、解列させることを決定した負荷３２を解列させる指示を分電盤３１に送信して、選択した負荷３２を分電盤３１から解列させる（ステップＳ１０７）。
【００５８】
制御部５２は、蓄電池１２が放電を開始するように制御し、蓄電池１２からパワーコンディショナ２０への電力の供給を再開させる（ステップＳ１０８）。
【００５９】
ステップＳ１０４によるパワーコンディショナ２０への電力供給の継続、又は、ステップＳ１０８によるパワーコンディショナ２０への電力供給の再開により、パワーコンディショナ２０は運転を再開する（ステップＳ１０９）。
【００６０】
パワーコンディショナ２０が起動すると、電流センサ４０に順潮流が流れ、発電装置３３は運転を再開する。発電装置３３が運転を再開すると、発電装置３３の発電電力を、第２インバータ２６、第１インバータ２１及び分電盤３１を介して発電装置３３自身に供給できるようになる。すなわち、発電装置３３が自立運転できるようになる（ステップＳ１１０）。
【００６１】
制御部５２は、負荷３２の消費電力が、発電装置３３の発電電力より小さいか否かを判定する（ステップＳ１１１）。
【００６２】
ステップＳ１１１にて、負荷３２の消費電力が、発電装置３３の発電電力以上であると判定した場合（ステップＳ１１１のＮｏ）、制御部５２は、蓄電池１２の放電を継続させる（ステップＳ１１２）。
【００６３】
ステップＳ１１１にて、負荷３２の消費電力が、発電装置３３の発電電力より小さいと判定した場合（ステップＳ１１１のＹｅｓ）、発電装置３３の発電電力に余裕があるため、制御部５２は、蓄電池１２の放電を停止し、発電装置３３の発電電力によって蓄電池１２を充電させる（ステップＳ１１３）。
【００６４】
このように、本実施形態によれば、系統が停電した際において、蓄電池１２の充電率がパワーコンディショナ２０の起動に必要な値以下である場合、起動制御装置５０は、分電盤３１から負荷３２の一部を解列させる指示を、分電盤３１に送信する。これにより、系統停電時において、蓄電池１２の充電率に余裕がない場合であっても、発電装置３３（燃料電池）を起動させることができる。この結果、蓄電池１２の充電率が低い場合であっても、停電時に発電装置３３の運転を再開させることができるため、蓄電池１２の放電範囲の下限を下げることが可能となり、蓄電池１２を有効利用することができるようになる。
【００６５】
また、本実施形態によれば、起動制御装置５０は、系統の通常動作時に、負荷３２の消費電力の情報を分電盤３１から取得し、消費電力の情報に基づいて、系統が停電した際において、蓄電池１２の充電率がパワーコンディショナ２０の動作に必要な値以下である場合に、負荷３２のうちのどの負荷を分電盤３１から解列させるかを決定する。これにより、起動制御装置５０は、パワーコンディショナ２０を起動させるために必要十分な負荷３２を解列させることができる。
【００６６】
また、本実施形態によれば、起動制御装置５０は、負荷３２の一部を解列させたことによりパワーコンディショナ２０の動作が可能となり、発電装置３３が運転を再開すると、発電装置３３の発電電力により蓄電池１２を充電することができる。これにより、発電装置３３の運転の再開のために放電させた蓄電池１２の電力を充電により回復することができる。
【００６７】
また、本実施形態によれば、起動制御装置５０は、負荷３２の一部を解列させたことによりパワーコンディショナ２０の動作が可能となり、発電装置３３が運転を再開すると、分電盤３１から解列させていた負荷３２の一部を分電盤３１に再接続させることができる。これにより、系統が停電する前に使用していた負荷３２を再び使用することができる。
【００６８】
また、本実施形態によれば、起動制御装置５０が備える制御部５２の消費電力は、パワーコンディショナ２０が備える制御部２５の消費電力よりも小さい。これにより、蓄電池１２の蓄電率が小さい場合であっても、起動制御装置５０は、少ない消費電力で分電盤３１を制御することができる。
【００６９】
本発明を諸図面や実施例に基づき説明してきたが、当業者であれば本開示に基づき種々の変形や修正を行うことが容易であることに注意されたい。従って、これらの変形や修正は本発明の範囲に含まれることに留意されたい。例えば、各構成部、各ステップなどに含まれる機能などは論理的に矛盾しないように再配置可能であり、複数の構成部やステップなどを１つに組み合わせたり、或いは分割したりすることが可能である。
【００７０】
また、本実施形態では、起動制御装置５０が蓄電池１２から独立した構成として説明したが、起動制御装置５０が蓄電池１２の内部に含まれる構成であってもよい。
【００７１】
また、本実施形態では、分散電源として、太陽電池１１、蓄電池１２及び発電装置３３が系統に連系している例を示したが、この構成に限定されるものではない。例えば、太陽電池１１が系統に連系していない構成であってもよい。
【００７２】
また、本実施形態では、起動制御装置５０は、分電盤３１に指示を送信して、負荷３２を分電盤３１から解列させていたが、その代わりに、起動制御装置５０と負荷３２とが有線又は無線によって直接通信を行い、起動制御装置５０が負荷３２の動作を停止させるか、又は、消費電力の小さいモードに移行させてもよい。
【符号の説明】
【００７３】
１１  太陽電池
１２  蓄電池
２０  パワーコンディショナ（電力供給機器）
２１  第１インバータ
２２  連系リレー
２３  バイパスリレー
２４  自立リレー
２５  制御部
２６  第２インバータ
２７、２８  ＤＣ／ＤＣコンバータ
３１  分電盤
３２  負荷
３３  発電装置
４０  電流センサ
５０  起動制御装置
５１  ＤＣ／ＤＣコンバータ
５２  制御部
【図１】
0006410567.tif 000002
【図２】
0006410567.tif 000003
【図３】
0006410567.tif 000004
【図４】
0006410567.tif 000005
【図５】
0006410567.tif 000006